(57)【特許請求の範囲】
【請求項１】
機体フレームの前後に前輪と後輪を配置し、該前輪と後輪の間に、播種装置と作溝具とを備える複数の播種ユニットを左右方向に列設し、複数条に一括して播種を行う播種機において、前記機体フレームの少なくとも一部に対して、全ての播種ユニットを同時に傾倒可能な播種深さ調節機構を設け、
前記播種深さ調節機構は、前記機体フレームを、前記前輪を支承する前フレームと前記後輪を支承する後フレームとに前後二分割し、前記後フレームと前フレームとを、連結軸を中心にして上下に屈曲可能に連結すると共に、
前記連結軸から離間した位置で、前記前フレームと後フレームと間の間隔を変更可能な、深さ調節具を備えた
ことを特徴とする播種機。
【請求項２】
前記前フレームまたは後フレームの一方のみに、全ての播種ユニットを支持することにより、前記前フレームと後フレームとの成す屈曲角を変更して、全ての播種ユニットを同時に傾倒可能とすることを特徴とする請求項１に記載の播種機。
【請求項３】
前記前フレームと後フレームのうちの一方のフレームの端部と他方のフレームの途中部との間に、前記連結軸を介設したことを特徴とする請求項１に記載の播種機。
【請求項４】
前記播種装置と、該播種装置の繰出部を前記機体フレームに取り付ける繰出ベースとの間には、該繰出ベースへの繰出部の取り付けと動力伝達経路への繰出部の動力接続とを同時に行う第一操作、または前記繰出ベースからの繰出部の取り外しと動力伝達経路からの繰出部の動力切断とを同時に行う第二操作を実施する播種装置着脱構造を介設することを特徴とする請求項１から請求項３のうちのいずれか一項に記載の播種機。
【請求項５】
前記播種装置着脱構造において、前記繰出部側に、前記播種装置を駆動する繰出軸に嵌合する従動ギアと、複数の係止部とを備え、前記繰出ベース側に、取り付け状態で前記従動ギアと噛合する駆動ギアと、前記係止部を挟持する挟持体とを備えることを特徴とする請求項４に記載の播種機。
【発明の詳細な説明】
【技術分野】
【０００１】
本発明は、機体フレームの前後に前輪と後輪を配置し、該前輪と後輪の間に、播種装置と作溝具とを備える播種ユニットを左右方向に列設し、複数条に一括して播種を行う播種機に関し、特に、作溝具によって形成する播種溝の深さ（以下、「播種深さ」とする）の調節構成に関する。
【背景技術】
【０００２】
従来より、前輪と後輪を支承した機体フレームに、播種装置と作溝具とを備える播種ユニットを条毎に設け、複数条に播種を行う播種機においては、各作溝具毎に播種深さ調節機構を設け、作溝具による播種深さを調節する技術（例えば、特許文献１参照）が公知となっている。該播種深さ調節機構では、例えば、機体フレーム側に上下方向に軸心を有する筒体を固設し、該筒体内に、下端を前記作溝具に連結したポールの上部を上下摺動可能に内挿し、該ポールを、前記筒体に螺挿したボルトの先端によって固定することにより、作溝具の下端を所定の深さに設定するようにしている。
【先行技術文献】
【特許文献】
【０００３】
【特許文献１】特開２００６−３４５７３３号公報
【発明の概要】
【発明が解決しようとする課題】
【０００４】
しかしながら、前記技術では、各作溝具毎に調節機構を設けるため、播種機の対応条数が多くなると、播種深さ調節作業にかかる手間や時間が増加し、播種作業の作業性が悪化する、という問題があった。
【課題を解決するための手段】
【０００５】
本発明の解決しようとする課題は以上の如くであり、次にこの課題を解決するための手段を説明する。
請求項１においては、機体フレームの前後に前輪と後輪を配置し、該前輪と後輪の間に、播種装置と作溝具とを備える複数の播種ユニットを左右方向に列設し、複数条に一括して播種を行う播種機において、前記機体フレームの少なくとも一部に対して、全ての播種ユニットを同時に傾倒可能な播種深さ調節機構を設け、前記播種深さ調節機構は、前記機体フレームを、前記前輪を支承する前フレームと前記後輪を支承する後フレームとに前後二分割し、前記後フレームと前フレームとを、連結軸を中心にして上下に屈曲可能に連結すると共に、前記連結軸から離間した位置で、前記前フレームと後フレームと間の間隔を変更可能な、深さ調節具を備えたものである。
請求項２においては、前記前フレームまたは後フレームの一方のみに、全ての播種ユニットを支持することにより、前記前フレームと後フレームとの成す屈曲角を変更して、全ての播種ユニットを同時に傾倒可能とするものである。
請求項３においては、前記前フレームと後フレームのうちの一方のフレームの端部と他方のフレームの途中部との間に、前記連結軸を介設したものである。
請求項４においては、前記播種装置と、該播種装置の繰出部を前記機体フレームに取り付ける繰出ベースとの間には、該繰出ベースへの繰出部の取り付けと動力伝達経路への繰出部の動力接続とを同時に行う第一操作、または前記繰出ベースからの繰出部の取り外しと動力伝達経路からの繰出部の動力切断とを同時に行う第一操作を実施する播種装置着脱構造を介設するものである。
請求項５においては、前記播種装置着脱構造において、前記繰出部側に、前記播種装置を駆動する繰出軸に嵌合する従動ギアと、複数の係止部とを備え、前記繰出ベース側に、取り付け状態で前記従動ギアと噛合する駆動ギアと、前記係止部を挟持する挟持体とを備えるものである。
【発明の効果】
【０００６】
本発明は、以上のように構成したので、以下に示す効果を奏する。
すなわち、請求項１により、全ての播種ユニットに備えた作溝具も同時に傾倒させ、播種深さを一括して変更することができ、播種機の対応条数が多くなっても、播種深さ調節作業に手間や時間がかからず、播種作業の作業性が悪化しない。
しかも、該播種深さ調節機構は、前記機体フレームを、前記前輪を支承する前フレームと前記後輪を支承する後フレームとに前後二分割し、該後フレームと前フレームとは、連結軸を中心にして上下に屈曲可能に連結すると共に、該連結軸から離間した位置で前フレームと後フレーム間の間隔を変更可能な、深さ調節具を備えたので、支点から離間して深さ調節具を備えることにより、腕の長さを長くしてモーメントを大きくすることができ、小さな操作力で深さ調節具を伸縮させて、播種深さ調節作業の作業負荷の軽減を図ることができる。
請求項２により、前記前フレームまたは後フレームの一方のみに、全ての播種ユニットを支持することにより、前記前フレームと後フレームとの成す屈曲角を変更して、全ての播種ユニットを同時に傾倒可能とするので、各作溝具は、複数の部品から成る播種深さ調節機構を介することなく、機体フレームに対し、直接に、あるいは単一の部材を介して、強固に連結することができ、たとえ、土壌や作溝具の状態などが悪くて、土壌から受ける抵抗の増大・不均一化などが起こっても、作溝具が偏移したり振動することがなく、播種深さ精度の低下を防止できる。
請求項３により、前記前フレームと後フレームのうちの一方のフレームの端部と他方のフレームの途中部との間に、前記連結軸を介設したので、一方のフレームの途中部と他方のフレームの端部との間に深さ調節具を設けるだけの簡単な構成で、屈曲角を変更することができ、部品コストの削減と組立性の向上を図ることができる。
請求項４により、播種装置着脱構造で、播種機に備えた全ての播種装置を短時間で着脱することができ、メンテナンス性が向上する。
請求項５により、播種装置着脱構造を簡単な構成で設けることができ、部品コストの削減と組立性の向上を図ることができる。
【図面の簡単な説明】
【０００７】
【図１】本発明に係わる播種機の全体構成を示す側面図である。
【図２】同じく平面図である。
【図３】深さ調節具の側面図である。
【図４】深さ調節具を使った播種深さ調節作業の説明図であって、図４（ａ）は後フレームの前半部を略水平に保持させた播種機の播種深さを示す説明図、図４（ｂ）は後フレームの前半部を前傾させた播種機の播種深さを示す説明図である。
【図５】作条爪を固設した繰出ベースを示す図であって、図５（ａ）は同じく平面図、図５（ｂ）は同じく側面図である。
【図６】播種装置着脱構造を使った播種装置の取り付けと動力接続との第一操作の説明図である。
【図７】作条爪を固設した繰出ベースに播種装置を取り付けた状態を示す側面図である。
【図８】低位置支持構造の説明図である。
【発明を実施するための形態】
【０００８】
以下、本発明の実施の形態について詳細に説明する。なお、図１の矢印Ｆで示す方向を播種機１の前進方向とし、以下で述べる各部材の位置や方向などはこの前進方向を基準とするものである。
【０００９】
まず、本発明に関わる歩行型の播種機１について、その全体構成を図１、図２により説明する。該播種機１には、左右一対の機体フレーム２・３が配置され、このうちの左の機体フレーム２では、前フレーム２ａと後フレーム２ｂとが連結軸４Ｌを中心にして上下に屈曲可能に連結され、同様に、右の機体フレーム３でも、前フレーム３ａと後フレーム３ｂが連結軸４Ｒを中心にして上下に屈曲可能に連結されている。そして、このうちの左右の前フレーム２ａ・３ａの前部間に、前ローラ５のローラ軸７が支承される一方、左右の後フレーム２ｂ・３ｂの後部間に、鎮圧ローラ６のローラ軸８が支承されている。
【００１０】
更に、該左右の後フレーム２ｂ・３ｂの前半部間には、前後に支持バー１１・１２が横架され、該支持バー１１・１２によって繰出ベース１３の前後端が支持されている。該繰出ベース１３の上面には、下部に繰出部１４ａを有する播種装置１４が搭載される一方、繰出ベース１３の下面には、後方に覆土板１６を支持した作条爪１５が固設されており、これら播種装置１４、繰出ベース１３、作条爪１５、及び覆土板１６等より、各条毎に播種ユニット１７が構成されている。該播種ユニット１７は、本実施例では、左右方向に略等間隔で４個列設され、該４個の播種ユニット１７から播種部９が形成されている。
【００１１】
また、該播種部９の後方で前記後フレーム２ｂ・３ｂの後部間には、操作部１０が配置される。該操作部１０においては、前記ローラ軸８より後方の後フレーム２ｂ・３ｂから略鉛直上方に、左右の縦アーム部３６ｂ・３６ｂが前後回動可能に立設されると共に、該縦アーム部３６ｂ・３６ｂの上端間が、横アーム部３６ａによって連結されて、下アーム部材３６が形成される。
【００１２】
更に、パイプ状で上端が開口した前記縦アーム部３６ｂ・３６ｂ内に、縦アーム部３５ｂ・３５ｂが上から内挿されると共に、該縦アーム部３５ｂ・３５ｂの上端間が、把持アーム部３５ａによって連結されて、上アーム部材３５が形成され、該上アーム部材３５と前記下アーム部材３６とから、略鉛直上方に立設された正面視門型のハンドルアーム３４が構成されている。
【００１３】
そして、下アーム部材３６の縦アーム部３６ｂ・３６ｂの上端前部には、ボルト４３・４３が前方から螺挿されており、該ボルト４３・４３の螺挿進行に伴って、ボルト４３・４３の後端を上アーム部材３５の縦アーム部３５ｂ・３５ｂの前面に押圧することにより、上アーム部材３５が下アーム部材３６に対して締結固定される。
【００１４】
これにより、前記ボルト４３を緩め、上アーム部材３５を下アーム部材３６に沿って摺動させて昇降させた後、再びボルト４３を締めることにより、ハンドルアーム３４の高さを所定の高さに調節可能としている。
【００１５】
そして、前記縦アーム部３６ｂ・３６ｂの上下途中部からは、左右一対のステー４１・４１が前方に突設され、該ステー４１・４１の前端部には、図示せぬネジ孔が開口され、該ネジ孔と同軸状にナット４２ａ・４２ａが外側面に固設されている。一方、前記ローラ軸８より前方の後フレーム２ｂ・３ｂからは、それぞれ左右一対の突出部２ｂ１・３ｂ１が上方に突設され、該突出部２ｂ１・３ｂ１の上端に、ハンドル傾斜調節フレーム４０・４０の下端が前後回動可能に連結される。そして、該ハンドル傾斜調節フレーム４０・４０の上端には、長孔４０ａ・４０ａが設けられており、該長孔４０ａ・４０ａを挿通するようにして、ボルト４２ｂ・４２ｂが内側から前記ナット４２ａに締められている。
【００１６】
これにより、前記ボルト４２ｂ・４２ｂを緩めて長孔４０ａ・４０ａに沿って摺動させ、縦アーム部３６ｂ・３６ｂを前後方向に傾倒した後、再びボルト４２・４２を締めることにより、ハンドルアーム３４を所定の前後傾斜角に調節できるようにしている。
【００１７】
以上のようにして、ハンドルアーム３４の前後傾斜角と高さを無段階で変更し、播種作業中に、ハンドルアーム３４を把持アーム部３５ａで把持して人力で前方へ押し操作するのに適した状態に設定することができ、押し操作が小さな人力ですみ、播種作業の作業負荷が減少し、その作業性が向上する。
【００１８】
また、前記播種部９の前方で前フレーム２ａ・３ａと後フレーム２ｂ・３ｂとの間には、本発明に関わる深さ調節具２６が配置されており、該深さ調節具２６は、前後途中で上下に屈曲可能な前記機体フレーム２・３と一緒になって、後述する播種深さ調節機構６４を構成している。
【００１９】
また、前記後フレーム２ｂ・３ｂの前部間で、前記支持バー１１・１２の間には、入力軸２３が回動可能に横架されると共に、該入力軸２３は、後述する播種装置着脱構造２７内の伝達経路を介して、前記播種装置１４の繰出軸２４に連結される。そして、この入力軸２３の右端は、動力伝達経路１８を介して、前記鎮圧ローラ６のローラ軸８に連結されている。
【００２０】
該動力伝達経路１８においては、右の後フレーム３ｂの前後中央部外面に伝動ケース１９が固設され、該伝動ケース１９内の前部に前記入力軸２３の右端が貫入され、該右端にスプロケット２１が外嵌固定される。同様に、前記伝動ケース１９内の後部には前記ローラ軸８の右端が貫入され、該右端にスプロケット２０が外嵌固定されており、該スプロケット２０と前記スプロケット２１との間に、チェーン２２が巻回されている。
【００２１】
これにより、播種機１が進行すると、鎮圧ローラ６が回転し、該鎮圧ローラ６の回転動力が、ローラ軸８、スプロケット２０、チェーン２２、スプロケット２１から入力軸２３に伝達され、播種装置１４の繰出軸２４が駆動されて、圃場に種子が繰り出されるようにしている。
【００２２】
そして、前記前ローラ５において、前フレーム２ａ・３ａの前部でローラ軸７の支承部近傍からは、左右一対の支持フレーム２８Ｌ・２８Ｒが立設され、該支持フレーム２８Ｌ・２８Ｒの上端部間には、載置台２９が横設されると共に、該載置台２９の下面からは、持ち運び用の平面視門形の把手５１が前方に突設されている。更に、前ローラ５の前方で左右の前フレーム２ａ・３ａ間には、泥落とし用の前スクレパー３８が、前ローラ５の前部外周面に向かって突出され、同様に、前記鎮圧ローラ６の後方で後フレーム２ｂ・３ｂ間にも、泥落とし用の後スクレパー３９が、鎮圧ローラ６の後部外周面に向かって突出されている。
【００２３】
次に、前記播種深さ調節機構６４について、図１乃至図４により説明する。図１，図２に示すように、該播種深さ調節機構６４は、前述の如く、屈曲可能な前記機体フレーム２・３と深さ調節具２６とにより構成される。
【００２４】
ここで、前記左右の前フレーム２ａ・３ａの後部で、前記ローラ軸７と連結軸４Ｌ・４Ｒとの間には、左右の曲がり部２ａ１・３ａ１が上方に凸状に屈曲形成され、該曲がり部２ａ１・３ａ１間に前支軸６２が横架される一方、前記左右の後フレーム２ｂ・３ｂの前端部間には、後支軸６３が横架されている。そして、該後支軸６３の左右略中央部と前記前支軸６２の左右略中央部との間に、この深さ調節具２６が介設されている。
【００２５】
図３に示すように、該深さ調節具２６は、前半部に穿孔された横孔５７ａに前記前支軸６２が嵌入されるブロック状の第一連結部材５７と、下端部に穿孔された横孔５８ａに前記後支軸６３が嵌入されるパイプ状の第二連結部材５８と、該第二連結部材５８と前記第一連結部材５７との間に介設された調節ハンドル５６とから構成される。
【００２６】
該調節ハンドル５６は、側面視Ｌ字状のハンドル部５６ａと、該ハンドル部５６ａの内端から垂設された軸部５６ｂとから構成される。そして、該軸部５６ｂは、前記第一連結部材５７の後半部に穿孔された縦孔５７ｂを上方から貫通し、該縦孔５７ｂ内に、軸部５６ｂの上下略中央が昇降不能かつ回動可能に支持されるようにしている。更に、軸部５６ｂの下端は、前記第二連結部材５８の上面に固定されたナット５９から、同じ第二連結部材５８の上半部の筒内に螺刻された縦ネジ孔５８ｂにかけて、螺挿されている。
【００２７】
このような構成により、前記調節ハンドル５６の側面視Ｌ字状のハンドル部５６ａを把持して回転し、前記軸部５６ｂの先端をナット５９から縦ネジ孔５８ｂにかけて上下方向に螺挿進行させ、第一連結部材５７と第二連結部材５８との間隔６５を伸縮することにより、前記連結軸４Ｌ・４Ｒを中心にして支軸６２・６３を上下方向に開閉することができる。
【００２８】
ここで、前記第一連結部材５７の後面にはボルト６１によってスケール６０が締結されており、該スケール６０の下半部に刻設した目盛り６０ａから、前記第二連結部材５８の上部に設けた基準線５８ｃの位置を読み取ることにより、播種深さの目安となるようにしている。なお、前記調節ハンドル５６の軸部５６ｂで第一連結部材５７よりも上方の部位には、スプリングピン１０５が半径方向に突設されており、回転した該スプリングピン１０５がスケール６０の上半部の板バネ部６０ｂに当接することにより、調節ハンドル５６の回り止めを可能としている。
【００２９】
更に、該支軸６２・６３は前記連結軸４Ｌ・４Ｒから十分に離間して配設されており、腕の長さを長くして、前記連結軸４Ｌ・４Ｒを支点としたモーメントを大きくすることができ、ハンドル部５６ａの回転に必要な人力が小さくてすみ、播種深さ調節作業の作業負荷が減少するようにしている。
【００３０】
続いて、このような伸縮構造を有する深さ調節具２６を使った播種深さ調節手順について説明する。図４（ａ）に示すように、深さ調節具２６の調節ハンドル５６を回転し、連結部材５７・５８間を前記間隔６５に設定した状態では、連結軸４Ｌを中心として前フレーム２ａ・３ａの後部と後フレーム２ｂ・３ｂの前部との成す角度（以下、「屈曲角」とする）が角度６７となっている。この際、後フレーム２ｂ・３ｂの前半部は略水平に保持されており、この水平姿勢にある全ての播種ユニット１７において、播種深さに相当する、圃場面１１０から作条爪１５の下端位置である位置７１までの深さは、深さ６９に設定されている。
【００３１】
なお、本実施例では、側面視で、連結軸４Ｌ・４Ｒを中心とし、該連結軸４Ｌ・４Ｒから支軸６２・６３までを半径とした場合の中心角を屈曲角としているが、前フレームと後フレームとの屈曲の度合いを示す角度であればよく、その定義は特に限定されるものではない。
【００３２】
図４（ｂ）に示すように、調節ハンドル５６を更に回転し、連結部材５７・５８間を前記間隔６５から間隔６６まで伸張させると、屈曲角は前記角度６７から角度６８まで拡大し、後フレーム２ｂ・３ｂの前半部が前下方に傾斜される。これに伴い、全ての播種ユニット１７において、作条爪１５も前下方に傾斜し、その下端位置が前記位置７１から位置７２に変更され、播種深さは前記深さ６９から深さ７０まで深くなり、これによって、全ての播種ユニット１７の播種深さ調節作業が完了する。
【００３３】
従って、作業に伴う機体振動、圃場の状況変化、栽培条件などに応じて播種深さを変更する必要がある場合には、このような播種深さ調節機構６４を使用することで、全ての播種ユニット１７における播種深さを一括して適正な値に設定することができる。
【００３４】
すなわち、機体フレーム２・３の前後に前輪である前ローラ５と後輪である鎮圧ローラ６を配置し、該前ローラ５と鎮圧ローラ６の間に、播種装置１４と作溝具である作条爪１５とを備える播種ユニット１７を左右方向に列設し、複数条に一括して播種を行う播種機１において、前記機体フレーム２・３の少なくとも一部である前フレーム２ａ・３ａに対して全ての播種ユニット１７を同時に傾倒可能な播種深さ調節機構６４を設けたので、全ての播種ユニット１７に備えた作条爪１５も同時に傾倒させ、播種深さである深さ６９・７０を一括して変更することができ、播種機１の対応条数が多くなっても、播種深さ調節作業に手間や時間がかからず、播種作業の作業性が悪化しない。
【００３５】
更に、前記機体フレーム２・３は、前記前ローラ５を支承する前フレーム２ａ・３ａと前記鎮圧ローラ６を支承する後フレーム２ｂ・３ｂとに前後二分割し、該後フレーム２ｂ・３ｂと前記前フレーム２ａ・３ａとは、連結軸４Ｌ・４Ｒを中心にして上下に屈曲可能に連結すると共に、前記前フレーム２ａ・３ａまたは後フレーム２ｂ・３ｂの一方のみに、全ての播種ユニット１７を支持することにより、前記前フレーム２ａ・３ａと後フレーム２ｂ・３ｂとの成す屈曲角である角度６７・６８を変更して、全ての播種ユニット１７を同時に傾倒可能とするので、各作条爪１５は、複数の部品から成る播種深さ調節機構を介することなく、機体フレーム２・３に対し、直接に、あるいは単一の部材である繰出ベース１３を介して、強固に連結することができ、たとえ、土壌や作条爪１５の状態などが悪くて、土壌から受ける抵抗の増大・不均一化などが起こっても、作条爪１５が偏移したり振動することがなく、播種深さ精度の低下を防止できる。
【００３６】
加えて、前記前フレーム２ａ・３ａと後フレーム２ｂ・３ｂのうちの一方のフレームの端部と他方のフレームの途中部との間に前記連結軸４Ｌ・４Ｒを介設すると共に、該連結軸４Ｌ・４Ｒから離間した位置で前フレーム２ａ・３ａと後フレーム２ｂ・３ｂ間の間隔を変更可能な深さ調節具２６を備えるので、一方のフレームの途中部と他方のフレームの端部との間に深さ調節具２６を設けるだけの簡単な構成で、屈曲角である角度６７・６８を変更することができ、部品コストの削減と組立性の向上を図ることができる。しかも、支点である連結軸４Ｌ・４Ｒから離間して深さ調節具２６を備えることにより、腕の長さを長くしてモーメントを大きくすることができ、小さな操作力で深さ調節具を伸縮させて、播種深さ調節作業の作業負荷の軽減を図ることができる。
【００３７】
次に、前記播種装置着脱構造２７について、図１、図５乃至図７により説明する。該播種装置着脱構造２７とは、前記作条爪１５を固設した繰出ベース１３に対し、播種装置１４の繰出部１４ａの取り付けと動力接続、または取り外しと動力切断を、いずれも同時に可能とするものである。
【００３８】
ここで、図６に示すように、前記播種装置１４は、上下が開口した種子ケース７３の下部開口に、後斜め下方から繰出ロール７４を挿嵌し、その後から、下繰出ケース９１を覆設して構成されている。
【００３９】
このうち、前記種子ケース７３は、上面が蓋体９２で覆われるようにして内部に種子９３を蓄えるホッパ部７３ａと、該ホッパ部７３ａよりも下方にある上繰出ケース部７３ｂとから構成され、該上繰出ケース部７３ｂと前記下繰出ケース９１とから、種子９３を所定量だけ繰り出すための前記繰出部１４ａが形成されている。そして、該繰出部１４ａの前下端部には、左右一対の第一係止突部１４ｂ・１４ｂが左右外方に突設される一方、繰出部１４ａの後下端部には、第二係止突部１４ｃが後方に突設されている。
【００４０】
前記繰出ロール７４においては、左右方向に軸孔７４ｂが穿孔され、該軸孔７４ｂは、前記種子ケース７３の下部を左右方向に穿孔した通し孔７３ｃと略同一軸心上に配置されており、前記繰出軸２４が、該通し孔７３ｃ内に回動可能に挿通されると共に、前記軸孔７４ｂ内には回動不能に嵌合される。そして、該繰出軸２４の一端は、前記種子ケース７３内から左外方に突出され、その端部に、従動ギア７５が外嵌固定されている。更に、繰出ロール７４の外周面には、凹部７４ａが周方向に略等間隔で形成されており、該凹部７４ａ内に前記種子９３が入り込むようにしている。
【００４１】
これにより、前記繰出ロール７４が矢印９４の方向に回転すると、前記ホッパ部７３ａ内から凹部７４ａ内に入り込んでいる種子９３が、該凹部７４ａ内に保持された状態で回転搬送される。この搬送途中では、図示せぬブラシにより、凹部７４ａから溢れた種子９３などが除去される。そして、該凹部７４ａ内の種子９３は、所定の落下位置まで搬送されると、前記下繰出ケース９１の下部に開口した繰出口９１ａより、前記繰出ベース１３内に落下される。
【００４２】
また、図５に示すように、前記繰出ベース１３は、後方に開いた平面視Ｕ字状の切り欠き７６ａを後部に有する底板７６と、該底板７６の左右側縁から立設した左右一対の側板７７・７８と、左の側板７７の左外側面の前後に設けた複数のボルト８８によって締結固定されたギアケース７９などから構成される。
【００４３】
前記側板７７・７８において、その前部間には、左右方向に軸心を有するパイプ状の取付けボス部８７が横設されており、該取付けボス部８７内に前記前支持バー１１を挿通してノブネジ８６で固定することにより、側板７７・７８の前部を前支持バー１１に連結固定するようにしている。一方、前記側板７７・７８の後縁部には、後方に開いた凹部７７ａ・７８ａが形成されており、該凹部７７ａ・７８ａに前記後支持バー１２を挿嵌することにより、側板７７・７８の後部を後支持バー１２に連結固定するようにしている。これにより、前後の支持バー１１・１２を介して、繰出ベース１３を後フレーム２ｂ・３ｂに支持固定することができる。
【００４４】
更に、前記側板７７・７８で前半部の内側面には、側面視で下に凸状の側方挟持板８３・８３が貼設固定されると共に、側板７７・７８で後半部の内側面には、平面視で後方に開いたＵ字状の固定部８１ａを介して上方挟持板８１が貼設固定されている。
【００４５】
前記底板７６において、その前後略中央には、矩形状の連通孔７６ｂが開口され、該連通孔７６ｂより前方の底板７６の上面７６ｃと、前記側方挟持板８３・８３の前下部の外周傾斜面８３ａ・８３ａとの間に、前挟持空間８９が設けられている。
【００４６】
更に、前記底板７６の後端部には、平面視で後方に開いたＹ字状の下方挟持板８０の後端が固設され、該下方挟持板８０の前部は、前斜め上方に向かって延出された後、略水平に形成された上水平部８１ｂの直下に達すると、再び水平に戻されて下水平部８０ａとなる。そして、該下水平部８０ａと前記上水平部８１ｂとの間に、後挟持空間９０が設けられている。なお、前記上水平部８１ｂは、前記上方挟持板８１において固定部８１ａの上端から前方に突設され、その左右両端は下方に屈曲されており、前記後挟持空間９０を左右両側から覆うようにしている。
【００４７】
前記ギアケース７９において、その左側面は左方に膨出すると共に、その上部は、後端部を除いて上方に開口されており、前記播種装置１４の左外方に配置された従動ギア７５が、上部開口７９ａを通って、上方からギアケース７９内に挿入できるようにしている。
【００４８】
更に、前記ギアケース７９で上部が閉塞された後端部には、その内部空間に駆動ギア８２が収納され、該駆動ギア８２は、前記ギアケース７９内で前記従動ギア７５と噛合可能な位置において、前記入力軸２３に外嵌固定されている。
【００４９】
続いて、以上のような構成において、繰出ベース１３への播種装置１４の着脱手順について説明する。図６に示すように、播種装置１４を矢印９６の方向に移動して、左右の第一係止突部１４ｂ・１４ｂを、前記繰出ベース１３の左右の側板７７・７８間で、側方挟持板８３・８３よりも前方の空間に挿入する。
【００５０】
そして、第一係止突部１４ｂ・１４ｂをそのまま矢印９７の方向に水平移動させることにより、繰出部１４ａ側の第一係止突部１４ｂ・１４ｂを、それぞれ繰出ベース１３側の前挟持空間８９・８９内に嵌入させると共に、繰出部１４ａ側の第二係止突部１４ｃも、繰出ベース１３側内の後挟持空間９０内に嵌入させることができる。これにより、図７に示すようにして、播種装置１４の繰出部１４ａが、その前後において繰出ベース１３に支持固定される。この際、第二係止突部１４ｃには、図示せぬ孔が上下方向に穿孔されており、該孔に、前記下方挟持板８０の下水平部８０ａの上面に設けた図示せぬ凸部が、下方挟持板８０の弾性力によって下方から係合されるようにしている。なお、播種装置１４の取り外し作業を行う際には、下方挟持板８０を押し下げることにより、凸部を孔から容易に脱着させることができる。
【００５１】
同時に、繰出部１４ａ側の従動ギア７５は、前記ギアケース７９内に挿入され、該ギアケース７９内で前記駆動ギア８２と噛合される。これにより、図１に示す前記動力伝達経路１８を介して入力軸２３に伝達されてきた鎮圧ローラ６からの回転動力が、小径の駆動ギア８２と大径の従動ギア７５とから成る伝達経路を介して、前記繰出軸２４に伝達されるのである。
【００５２】
このようにして、繰出ベース１３への繰出部１４ａの取り付けと動力伝達経路１８への繰出部１４ａの動力接続とを同時に行う第一操作が可能となる。前記繰出ベース１３からの繰出部１４ａの取り外しと動力伝達経路１８からの繰出部１４ａの動力切断とを同時に行う第二操作については、前述の手順を逆にすることにより実施することができる。
【００５３】
なお、前記第二係止突部１４ｃを下から押圧する下方挟持板８０は、板バネなどの弾性部材から成るため、前記第二係止突部１４ｃが後挟持空間９０に嵌入し、下方挟持体８０の下水平部８０ａの高さが位置９８から位置９９まで下降すると、該下降によって下方挟持板８０には上方への付勢力が生じ、該付勢力により、前記第二係止突部１４ｃを常時付勢状態で挟持することができ、第二係止突部１４ｃの挟持効果を高めるようにしている。
【００５４】
すなわち、前記播種装置１４と、該播種装置１４の繰出部１４ａを前記機体フレーム２・３に取り付ける繰出ベース１３との間には、該繰出ベース１３への繰出部１４ａの取り付けと動力伝達経路１８への繰出部１４ａの動力接続とを同時に行う第一操作、または前記繰出ベース１３からの繰出部１４ａの取り外しと動力伝達経路１８からの繰出部１４ａの動力切断とを同時に行う第二操作を実施する播種装置着脱構造２７を介設するので、該播種装置着脱構造２７により、播種機１に備えた全ての播種装置１４を短時間で着脱することができ、メンテナンス性が向上する。なお、この播種装置着脱構造２７により、一条用の播種機においても、播種装置１４を迅速に取り付けることができる。
【００５５】
更に、前記播種装置着脱構造２７において、前記繰出部１４ａ側に、前記播種装置１４を駆動する繰出軸２４に嵌合する従動ギア７５と、複数の係止部である第一係止突部１４ｂ・１４ｂ、第二係止突部１４ｃとを備え、前記繰出ベース１３側に、取り付け状態で前記従動ギア７５と噛合する駆動ギア８２と、前記第一係止突部１４ｂ・１４ｂ、第二係止突部１４ｃを挟持する挟持体である側方挟持板８３・８３、下方挟持板８０、上方挟持板８１とを備えるので、播種装置着脱構造２７を簡単な構成で設けることができ、部品コストの削減と組立性の向上を図ることができる。
【００５６】
次に、以上のようにして機体フレーム２・３に取付けた状態で種子９３を繰り出す播種装置１４において、その高さを予め低位置に設定可能な低位置支持構造１１６について、図１、図２、図５乃至図８により説明する。なお、左右の機体フレーム２・３は略同一の構造であるため、左の機体フレーム２について説明し、右の機体フレーム３についての説明は省略する。
【００５７】
図１、図２、図８に示すように、該低位置支持構造１１６においては、前記後フレーム２ｂは、前記鎮圧ローラ６を支承する支承部２ｂ２から後方に略水平に延出される後水平部１１３と、逆に支承部２ｂ２から播種装置１４に向かって前斜め下方に傾斜する前傾部１１２と、該前傾部１１２の前端から前方に略水平に延出される前水平部１１１とから構成される。
【００５８】
そして、このうちの前水平部１１１と前傾部１１２に、それぞれ前記前支持バー１１と後支持バー１２が支持され、該前支持バー１１と後支持バー１２には、前述の如く、前記播種装置１４を搭載した繰出ベース１３の前後が係止されている。
【００５９】
従って、前記前支持バー１１と後支持バー１２が、前記前傾部１１２から後水平部１１３にかけた部分に支持される場合と比べ、播種装置１４は、最大で、前傾部１１２の前端と後端との高低差１１４の分だけ、低位置に支持されている。
【００６０】
一方、前記前フレーム２ａについては、前記前ローラ５を支承する支承部２ａ２から前後方向に略水平に延出される水平部１１５と、該水平部１１５の後端から上方に凸状に屈曲形成される前記曲がり部２ａ１とから構成される。そして、該曲がり部２ａ１の後端は、前記支承部２ａ２・２ｂ２のいずれとも略同じ高さに設定されている。従って、前フレーム２ａには、後フレーム２ｂの前傾部１１２のように、支承部２ａ２から播種装置１４に向かって前斜め下方に傾斜する傾斜部は設けられていない。
【００６１】
なお、前記後フレーム２ｂの前水平部１１１の前後略中央から上方に前突出部２ｂ３が突出され、その突出端に前記連結軸４Ｌが設けられ、該連結軸４Ｌに前記曲がり部２ａ１の後端が連結されており、前フレーム２ａと、後フレーム２ｂで播種装置１４を支持する前水平部１１１とを、上下２段に離間して配置するようにしている。これにより、前記深さ調節具２６の配置空間を上下方向に拡大し、播種機１の組み立て性、メンテナンス性の向上を図ることができる。
【００６２】
また、このようにして、低位置支持構造１１６により圃場面１１０近傍に支持された播種装置１４と一緒に、前記作条爪１５も圃場面１１０近傍に支持されている。図５乃至図７に示すように、該作条爪１５は、正面視で下方に向かって先細り形状に突出するＶ字状の作溝部１５ａと、該作溝部１５ａから二股状に後方に開いた左右一対の側板部１５ｂ・１５ｃとから構成される。ここで、前記作溝部１５ａは、下縁が閉塞された部分（以下、「閉塞下縁」とする。）が後ろ斜め下方に傾斜配置された前閉塞下縁１５ａ１と、該前閉塞下縁１５ａ１よりも傾斜角の小さい後閉塞下縁１５ａ２とから構成し、該閉塞下縁１５ａ１・１５ａ２が、前記圃場面１１０に対して徐々に切り込めるようにしている。
【００６３】
そして、播種装置１４の下方において、この作条爪１５の上面が、前記繰出ベース１３の底板７６の下面に固設されると共に、該底板７６の連通孔７６ｂの直下方に、前記左右の側板部１５ｂ・１５ｃ間の空間が配置されており、連通孔７６ｂが作条爪１５内を通って播種溝に連通されている。これにより、前記播種装置１４から繰り出された種子９３は、連通孔７６ｂから最短距離で播種溝内に到達することができる。
【００６４】
更に、繰出部１４ａの下面は、繰出ベース１３の底板７６上に載置された状態にあり、繰出部１４ａの前記繰出口９１ａは、前記連通孔７６ｂの直上に、対向するようにして近接配置されている。これにより、前記播種装置１４から繰り出された種子９３は、筒体などのガイド部材を介することなく、繰出口９１ａからそのまま連通孔７６ｂに到達することができる。
【００６５】
従って、該播種装置１４の繰出口９１ａと播種溝との間には、ほとんど作条爪１５のみが介在し、前記繰出口９１ａから播種溝までの落下距離を、作条爪１５の上下厚さの分だけに抑えることができるのである。
【００６６】
更に、前記繰出口９１ａから連通孔７６ｂまでの空間の周囲は、前記繰出ベース１３の左右一対の側板７７・７８によって覆われている。これにより、種子９３が繰出口９１ａから連通孔７６ｂ内を通過する間に、外部から吹き込む横風や泥土などによって飛散されないようにしている。
【００６７】
加えて、前記作条爪１５は、前述の如く、正面視で下方に向かって先細り形状に突出するＶ字状の作溝部１５ａを有する。これにより、該作溝部１５ａで形成する播種溝もＶ字状に形成することができ、該播種溝の底幅を繰出ロール７４の長さと同程度にして溝の傾斜を急にし、種子９３が播種溝内を左右に転動できないようにしている。
【００６８】
なお、前記側板部１５ｂ・１５ｃの後部には支持ピン８５が横架され、該支持ピン８５には、覆土アーム９５の前端が前後揺動可能に連結され、該覆土アーム９５の後端に、前記覆土板１６が前後回動可能に支持されている。そして、前記側板部１５ｂ・１５ｃと覆土アーム９５との間には、前記支持ピン８５に巻回された付勢バネ８４が介設されており、該付勢バネ８４の弾性力によって、覆土アーム９５に支持された覆土板１６を下方に常時付勢状態としている。
【００６９】
すなわち、前後に前輪である前ローラ５と後輪である鎮圧ローラ６を支承した機体フレーム２・３に播種装置１４と作溝具である作条爪１５とを設けた播種機１において、前記播種装置１４を低位置で支持する低位置支持構造１１６を備えると共に、前記作条爪１５の直上方に、該作条爪１５内を通って播種溝に連通する開口である連通孔７６ｂを設け、該連通孔７６ｂの直上近接空間に前記播種装置１４からの種子９３の繰出口９１ａを配置したので、圃場面１１０近傍に播種装置１４を支持した上で、該播種装置１４の繰出口９１ａと播種溝との間に作条爪１５のみを介在させるようにして、前記繰出口９１ａから播種溝内までの落下距離を大幅に短縮することができる。これにより、種子９３が播種溝内に衝突する際の反動を小さくし、該反動による種子９３の周囲への転動を防止することができ、点播のように高い播種精度が要求される播種作業にも十分に対応できる。更に、この種子転動防止に加え、繰出口９１ａと播種溝との間のガイド部材を不要にして、部品コストの低減やメンテナンス性の向上を図ることができる。
【００７０】
更に、前記低位置支持構造１１６は、前記機体フレーム２・３において、前輪支承部である支承部２ａ２・３ａ２と後輪支承部である支承部２ｂ２・３ｂ２のうち、該支承部２ｂ２・３ｂ２から播種装置１４に向かって下方に傾斜する傾斜部である前傾部１１２と、該前傾部１１２に略水平に連設する前水平部１１１とを有し、該水平部１１１の一部と連結した前支持バー１１に前記播種装置１４を支持するので、機体フレーム２・３の形状を変更するだけで播種装置１４を圃場面１１０近傍の低位置で支持することができ、低位置支持のための部材を別途に設ける必要がなく、部品コストの低減とメンテナンス性の向上を更に図ることができる。
【００７１】
加えて、前記繰出口９１ａから開口である連通孔７６ｂにかけて、側面カバー部材として繰出ベース１３の側板７７・７８を設けるので、繰出口９１ａから連通孔７６ｂまで落下中の種子９３が、外部から吹き込む横風や泥土などによって飛散するのを防止することができ、所定量の種子９３が播種溝内に確実に導入され、播種精度が更に向上する。
【００７２】
更に、前記作溝具である作条爪１５には、側面視で後ろ斜め下方へ延びる閉塞下縁１５ａ１・１５ａ２を設けた正面視Ｖ字状の作溝部１５ａを設けるので、作溝部１５ａを正面視Ｖ字状とすることにより、播種溝の底部を狭幅に形成することができる。これにより、該播種溝内での種子９３の左右方向への転動を確実に防止して、播種精度が更に向上する。また、正面視Ｖ字状であることから、作溝部１５ａの上部ほど左右外方に張り出しており、しかも、側面視で後ろ斜め下方へ延びることから、閉塞下縁１５ａ１・１５ａ２は圃場面１１０に徐々に切り込んでいくため、播種溝からの排出土は、上昇することなく左右外方に向かって円滑に押し出される。これにより、側面視で後ろ斜め上方に延びる閉塞前縁によって作溝する従来の作溝具と比べ、作溝に伴う土の上昇流を抑制することができ、前記繰出部１４ａや開口である連通孔７６ｂが排出土によって閉塞するのを防止して、播種作業の作業性が向上する。
【００７３】
加えて、前記作溝部１５ａからは、左右一対の側板部１５ｂ・１５ｃを後方に二股状に開き、該側板部１５ｂ・１５ｃに、下方へ付勢状態にある覆土部材である覆土板１６を支持するので、該覆土板１６を支持するための支持部材を別途に設ける必要がなく、該支持部材の設置空間を省略することができ、より低位置で前記播種装置１４を支持し、前記繰出口９１ａから播種溝内までの落下距離を一層短縮することができる。更に、覆土板１６を下方へ付勢状態とすることにより、覆土効果も高めることができる。
【産業上の利用可能性】
【００７４】
本発明は、機体フレームの前後に前輪と後輪を配置し、該前輪と後輪の間に、播種装置と作溝具とを備える播種ユニットを左右方向に列設し、複数条に一括して播種を行う、全ての播種機に適用することができる。
【符号の説明】
【００７５】
１  播種機
２・３  機体フレーム
２ａ・３ａ  前フレーム
２ｂ・３ｂ  後フレーム
４Ｌ・４Ｒ  連結軸
５  前ローラ（前輪）
６  鎮圧ローラ（後輪）
１３  繰出ベース
１４  播種装置
１４ａ  繰出部
１４ｂ  第一係止突部（係止部）
１４ｃ  第二係止突部（係止部）
１５  作条爪（作溝具）
１７  播種ユニット
１８  動力伝達経路
２４  繰出軸
２６  深さ調節具
２７  播種装置着脱構造
６４  播種深さ調節機構
６７・６８  角度（屈曲角）
７５  従動ギア
８０  下方挟持板（挟持体）
８１  上方挟持板（挟持体）
８２  駆動ギア
８３  側方挟持板（挟持体）
【図１】
0005824692.tif 000002
【図２】
0005824692.tif 000003
【図３】
0005824692.tif 000004
【図４】
0005824692.tif 000005
【図５】
0005824692.tif 000006
【図６】
0005824692.tif 000007
【図７】
0005824692.tif 000008
【図８】
0005824692.tif 000009